(57)【要約】  強度のある人造爪を容易に形成することができる技術を提供する。  人造爪形成用基材は、幅方向断面が凸状に湾曲した形状であり柔軟性を有する。自爪上に光硬化樹脂を塗布し、自爪上に人造爪形成用基材を載置して貼り付け、自爪上に貼り付けた人造爪形成用基材に、光硬化樹脂を塗布し、光を照射させて、人造爪を形成する。
2012140796.tif 000002
【特許請求の範囲】
【請求項１】
自爪上に、幅方向断面が凸状に湾曲した形状の柔軟性を有する基材を貼り付ける工程と、
前記基材に光硬化樹脂又は２物体硬化樹脂を塗布する工程と、
前記光硬化樹脂又は前記２物体硬化樹脂を硬化させる工程を含む人造爪形成方法。
【請求項２】
請求項１において、自爪上に前記基材を貼り付ける工程は、自爪及び前記基材の裏面の少なくとも一方に、光硬化樹脂又は２物体硬化樹脂を塗布し、前記基材を自爪に載置することにより行われる請求項１に記載の人造爪形成方法。
【請求項３】
幅方向断面が凸状に湾曲した形状の柔軟性を有する基材を有する人造爪形成用基材。
【請求項４】
請求項３において、
前記基材は、吸液性を有する不織布で構成されている人造爪形成用基材。
【請求項５】
請求項４において、前記基材の先端には、幅方向断面が凸状に湾曲した合成樹脂で構成された爪片が取り付けられている人造爪形成用基材。
【請求項６】
請求項４において、前記基材と、この基材を覆う幅方向断面が凸状に湾曲した合成樹脂で構成された爪片とから構成され、
前記基材の一部は前記爪片に取り付けられている一方で、前記基材の基端部は前記爪片の基端部の裏面から分離して構成されている人造爪形成用基材。
【請求項７】
請求項３において、前記基材は、フィルム状の樹脂である人造爪形成用基材。
【請求項８】
請求項７において、前記基材の厚さは、０．０１〜０．２ｍｍである人造爪形成用基材。
【請求項９】
請求項７において、前記基材に凹凸処理部が形成されている人造爪形成用基材。
【請求項１０】
請求項３において、
ネイル用装飾物を装着するための装飾物装着部が形成された人造爪形成用基材。
【請求項１１】
請求項１０において、
前記装飾物装着部は、凸形状の第１スリットと、この第１スリットの内側に形成された凸形状の第２スリットとから構成されている人造爪形成用基材。
【発明の詳細な説明】
【技術分野】
【０００１】
本発明は、自爪上に人造爪を形成する技術に関する。
【背景技術】
【０００２】
従来から、特許文献１に示されるように、少なくとも幅方向断面が凸状に湾曲した形状の人造爪が提供されている。このような人造爪は、接着剤又は両面テープにより自爪上に接着させて使用される。ところが、前記人造爪の裏面の曲率半径と自爪の曲率半径が一致していないこと、及び、人造爪が硬質であることから、人造爪と自爪との間に隙間が生じ、人造爪を自爪に密着させた状態で接着させることができなかった。このため、人造爪と自爪の接着力が弱く、少なくとも数日以内、最悪の場合には当日のうちに、人造爪が自爪から剥がれ落ちてしまうという問題があった。【０００３】
そこで近年、自爪上にジェル状の光硬化樹脂等を盛って、爪の延長を行うスカルプチャーネイル（ネイルスカルプチャーともいう）と称される付け爪の一種が流行しつつある。このスカルプチャーネイルの一種に、ジェルネイルスカルプチャーがある。【０００４】
ジェルネイルスカルプチャーは、フォームと呼ばれるシール台紙を、指先に向けて自爪と指先の間に差し込み、自爪及びシール台紙上にジェル状の光硬化型樹脂を塗布した後に、前記樹脂を光硬化させるという工程を繰り返すことにより形成される。【０００５】
このようなスカルプチャーネイルは、自爪と一体に形成されることから、自爪から剥がれ落ち難い。
【先行技術文献】
【特許文献】
【０００６】
【特許文献１】特開２０１０−３５８３０号公報
【発明の概要】
【発明が解決しようとする課題】
【０００７】
しかしながら、ジェル状の樹脂は透明であり、塗布されたジェル状の樹脂の外縁が視認し難く、また、台紙上にジェル状の樹脂を塗布して爪の形状を形成するのには高度な形成技術が要求される。このため、自分でスカルプチャーネイルを形成することは困難であり、ネイリストにスカルプチャーネイルを形成してもらうのが一般的であった。【０００８】
また、ネイリストがカルプチャーネイルを形成した場合であっても、上記したように、自爪及び台紙上に前記ジェル状の樹脂を塗布して爪形状を形成し、前記樹脂を硬化させるという工程を指１０本分繰り返す必要があることから、多大な時間（少なくとも１本１０分で計１００分以上）がかかり、このため多大な費用がかかっていた。【０００９】
また、スカルプチャーネイルは自爪と一体となることから、自爪から剥がれ落ち難いという利点が有るが、衝撃により、自爪先端とスカルプチャーネイルの境界である所謂イエローラインから亀裂が入ることがある。その結果、前記イエローラインからスカルプチャーネイルが折れてしまうことがあるという問題があった。【００１０】
本発明は、上記問題を解決し、強度のある人造爪を容易に形成することができる技術を提供することを目的とする。
【課題を解決するための手段】
【００１１】
（１）  人造爪形成方法は、自爪上に、幅方向断面が凸状に湾曲した形状の柔軟性を有する基材を貼り付ける工程と、自爪上に基材を載置し貼り付ける工程と、前記基材に光硬化樹脂又は２物体硬化樹脂を塗布する工程と、前記光硬化樹脂又は前記２物体硬化樹脂を硬化させる工程を含む。【００１２】
これにより、自爪上に基材を貼り付け、この基材に前記樹脂を塗布し、前記樹脂を硬化させるという簡単な作業で、人造爪を形成することができる。また、形成された人造爪内には、基材が芯材として入っているので、形成された人造爪は折れ難く、亀裂が入り難い。更に、基材は柔軟性を有するので、自爪の曲率半径と人造爪の裏面の曲率半径とが一致するように人造爪を形成することができる。このため、自爪と基材が密着して人造爪が形成されることから、形成された人造爪が自爪から剥がれ難い。【００１３】
（２）  上記（１）において、自爪上に前記基材を貼り付ける工程は、自爪及び前記基材の裏面の少なくとも一方に、光硬化樹脂又は２物体硬化樹脂を塗布し、自爪に前記基材を載置することにより行われる。【００１４】
上述のように、自爪及び基材の裏面の少なくとも一方に、前記樹脂を塗布して載置させると、基材は柔軟性を有するので、基材は自爪の表面形状に合った形に変形した状態で自爪上に貼り付けられる。この状態では、自爪と基材の裏面の間に前記樹脂が充填され隙間が生じていない。このため、前記樹脂が硬化すると、自爪と基材の裏面の間に隙間が生じることが無く、前記硬化した樹脂により自爪と人造爪とが強固に接合され、形成された人造爪が自爪から剥がれ難い。【００１５】
（３）  上記（１）の方法に用いられる人造爪形成用基材は、幅方向断面が凸状に湾曲した形状の柔軟性を有する基材を有する。【００１６】
これにより、自爪上に基材を貼り付け、この基材に光硬化樹脂や２物体硬化樹脂を塗布し、前記樹脂を硬化させるという簡単な作業で、人造爪を形成することができる。また、形成された人造爪内には、基材が芯材として入っているので、形成された人造爪は折れ難く、亀裂が入り難い。更に、基材は柔軟性を有するので、自爪と基材が密着して人造爪が形成されることから、形成された人造爪が自爪から剥がれ難い。【００１７】
（４）  上記（３）において、前記基材は、吸液性を有する不織布で構成されている。
これにより、形成された人造爪内には、繊維で構成された人造爪形成用基材が芯材として入っているので、形成された人造爪は折れ難く、亀裂が入り難い。【００１８】
また、自爪及び前記基材の裏面の少なくとも一方に、光硬化樹脂又は２物体硬化樹脂を塗布し、自爪に前記基材を載置することにより、前記基材を自爪上に貼り付けて人造爪を形成すると、繊維で構成された前記基材には、毛細管現象により十分な量の光硬化樹脂や２物体硬化樹脂が吸収されることから、前記基材と自爪との間に隙間が生じることが無く、前記基材が自爪に密着した状態で人造爪が形成される。このため、形成された人造爪は強固に自爪に接合され、人造爪が自爪から剥がれ落ち難い。【００１９】
（５）  上記（４）において、前記基材の先端には、幅方向断面が凸状に湾曲した合成樹脂で構成された爪片が取り付けられている。【００２０】
このように、人造爪形成用基材に予め爪片が取りつけられているので、人造爪を所望の厚さに形成するのに、人造爪形成用基材に光硬化樹脂や２物体硬化樹脂を塗布し、前記樹脂を硬化させるという工程を何度も繰り返す必要が無く、より容易に人造爪を形成することができる。
また、前記爪片に、予め印刷等の装飾を施した状態で製品を提供することができ、容易にデザイン性の高い人造爪を形成することが可能となる。【００２１】
（６）  上記（４）において、前記基材と、この基材を覆う幅方向断面が凸状に湾曲した合成樹脂で構成された爪片とから構成され、前記基材の一部は前記爪片に取り付けられている一方で、前記基材の基端部は前記爪片の基端部の裏面から分離して構成されている。【００２２】
このように、人造爪形成用基材に予め爪片が取りつけられているので、人造爪を所望の厚さに形成するのに、人造爪形成用基材に光硬化樹脂や２物体硬化樹脂を塗布し、前記樹脂を硬化させるという工程を何度も繰り返す必要が無く、より容易に人造爪を形成することができる。
また、前記爪片に、予め印刷等の装飾を施した状態で製品を提供することができ、容易にデザイン性の高い人造爪を形成することが可能となる。【００２３】
（７）  上記（３）において、前記基材は、フィルム状の樹脂である。
これにより、自爪に基材を貼り付け、更に、基材の全体に光硬化樹脂や２物体硬化樹脂を塗布し、前記樹脂を硬化させるという簡単な作業で、自爪上に人造爪を形成することが可能となる。また、基材はフィルム状の樹脂で構成されているので、印刷により装飾を施すことが容易である。【００２４】
（８）  上記（７）において、前記基材の厚さは、０．０１〜０．２ｍｍである。
これにより、前記基材への光硬化樹脂又は２物体硬化樹脂の塗りやすさと、前記基材の柔軟性を好適に両立させることができる。【００２５】
（９）  上記（７）において、前記基材に凹凸処理部が形成されている。
これにより、凹凸処理部が形成された部分の基材の濡れ特性（親水特性）が向上する。このため、凹凸処理部が形成された部分の基材と光硬化樹脂とのなじみが良く、人造爪形成用基材からの光硬化樹脂が剥離し難い。また、前記基材の裏面基部に、凹凸処理部を形成した場合には、凹凸処理部が形成された部分の基材と光硬化樹脂とのなじみが良いことから、自爪と人造爪形成用基材との接合力が増す。このため、形成された人造爪が自爪から剥がれ難い。【００２６】
（１０）  上記（３）において、ネイル用装飾物を装着するための装飾物装着部が形成されている。
これにより、人造爪形成用基材を用いて形成された人造爪に、ネイル用装飾物を装着することができる。【００２７】
（１１）  上記（１０）において、前記装飾物装着部は、凸形状の第１スリットと、この第１スリットの内側に形成された凸形状の第２スリットとから構成されている。
これにより、第１スリットと第２スリットの間に形成された装着片を引き上げることにより、装着穴が形成され、この装着穴にネイル用装飾物を装着することができる。従って、人造爪形成用基材のイエローラインに相当する部分よりも基端側に装飾物装着部を形成すると、イエローラインよりも基端側の人造爪にもネイル用装飾物を装着することができる。
【図面の簡単な説明】
【００２８】
【図１】（Ａ）は、第１の実施形態の人造爪形成用基材の上面図である。  （Ｂ）は、（Ａ）のＡ−Ａ断面図である。  （Ｃ）は、（Ａ）のＢ−Ｂ断面図である。
【図２】第１の実施形態の人造爪形成用基材を用いた人造爪の形成方法の説明図である。
【図３】（Ａ）は、第２の実施形態の人造爪形成用基材の上面図である。  （Ｂ）は、（Ａ）のＣ−Ｃ断面図である。  （Ｃ）は、（Ａ）のＤ−Ｄ断面図である。
【図４】第２の実施形態の人造爪形成用基材を用いた人造爪の形成方法の説明図である。
【図５】第２の実施形態の別例の人造爪形成用基材の上面図である。
【図６】（Ａ）は、第３の実施形態の人造爪形成用基材の上面図である。  （Ｂ）は、（Ａ）のＥ−Ｅ断面図である。  （Ｃ）は、（Ａ）のＦ−Ｆ断面図である。
【図７】第３の実施形態の人造爪形成用基材を用いた人造爪の形成方法の説明図である。
【図８】（Ａ）は、第３の実施形態の第１の別例及び第２の別例の人造爪形成用基材の上面図である。  （Ｂ）は、第３の実施形態の第１の別例の断面図であり、（Ａ）のＧ−Ｇ断面図である。  （Ｃ）は、第３の実施形態の第２の別例の断面図であり、（Ａ）のＧ−Ｇ断面図である。
【図９】（Ａ）は、第３の実施形態の第３の別例の人造爪形成用基材の上面図である。  （Ｂ）は、（Ａ）のＨ−Ｈ断面図である。
【図１０】（Ａ）は、第４の実施形態の人造爪形成用基材の上面図である。  （Ｂ）は、（Ａ）のＪ−Ｊ断面図である。  （Ｃ）は、（Ａ）のＫ−Ｋ断面図である。
【図１１】第４の実施形態の人造爪形成用基材を用いた人造爪の形成方法の説明図である。
【図１２】（Ａ）及び（Ｂ）は、人造爪形成用記基材に装飾物装着部を形成した実施形態の上面図である。  （Ｃ）は、（Ａ）及び（Ｂ）のＭ−Ｍ断面図である。  （Ｄ）は、（Ａ）及び（Ｂ）のＮ−Ｎ断面図である。
【図１３】装飾物装着部を形成した人造爪形成用記基材に、ネイル用装飾物を装着した状態の説明図である。
【発明を実施するための形態】
【００２９】
（第１の実施形態の人造爪形成用基材）
以下に図１を参照しつつ、本発明の好ましい実施の形態の一つである第１の実施形態の人造爪形成用基材１０を説明する。人造爪形成用基材１０は、幅方向断面及びこれと直交する長手方向断面のいずれもが凸状に湾曲した爪形状である。人造爪形成用基材１０は、吸液性を有する不織布で構成されている。なお、本明細書において、不織布とは繊維を一定方向やランダムに集積させて絡ませたものをいう。前記吸液性を有する不織布の原料には、ポリエチレンテレフタレート、ポリプロピレン、レーヨン等の合成繊維や、綿繊維、絹繊維、羊毛、パルプ等の天然繊維が含まれる。
【００３０】
本実施形態では、吸湿性を有する不織布を加熱した金型で挟み込むことにより、人造爪形成用基材１０を爪形状に形成している。このように形成された人造爪形成用基材１０は、柔軟性がある。このため、人造爪形成用基材１０は、その厚さ方向に変形可能となっている。
【００３１】
（第１の実施形態の形成方法）
以下に、図２を用いて、第１の実施形態の人造爪形成用基材１０を用いた人造爪の形成方法（第１の実施形態の形成方法）を説明する。（Ａ）に示すように、自爪９９の表面全体に、ブラシ８０等でジェル状の光硬化樹脂５０を塗布する。（Ｂ）及び（Ｃ）に示すように、光硬化樹脂５０が塗布された自爪９９上に人造爪形成用基材１０を載置して貼り付け、自爪９９上に人造爪形成用基材１０を仮止めする。
【００３２】
更に、（Ｃ）に示すように、自爪９９位置上の人造爪形成用基材１０に、ブラシ８０等で光硬化樹脂５０を塗布して浸液させる。なお、自爪９９と人造爪形成用基材１０の間の気泡を抜くために、光硬化樹脂５０を塗布後に、上部からブラシ８０等で人造爪形成用基材１０を押さえつけることが好ましい。
【００３３】
人造爪形成用基材１０は柔軟性を有するので、人造爪形成用基材１０は自爪９９の表面形状に合った形に変形する。また、毛細管現象により人造爪形成用基材１０には十分な量の光硬化樹脂５０が吸収されることから、自爪９９と人造爪形成用基材１０の基端裏面の間に光硬化樹脂５０が充填される。この結果、人造爪形成用基材１０と自爪９９との間には隙間が無く、人造爪形成用基材１０が自爪９９に密着した状態となる。
【００３４】
（Ｄ）に示すように、光硬化樹脂５０が浸液した人造爪形成用基材１０に光（紫外線、可視光線、赤外線を含む、以下同じ）を照射し、光硬化樹脂５０を硬化させる。（Ｅ）に示すように人造爪形成用基材１０の表面、外縁、裏面の全体に、光硬化樹脂５０を塗布する。（Ｆ）に示すように、光硬化樹脂５０が塗布された人造爪形成用基材１０に光を照射すると、光硬化樹脂５０が硬化して、人造爪１２が形成される。人造爪１２の厚さが足りない場合には、上述した（Ｅ）及び（Ｆ）の作業を繰り返し、所望の厚さの人造爪１２を形成する。
【００３５】
このように本実施形態では、ジェル状の光硬化樹脂の粘着力により、自爪９９上に人造爪形成用基材１０を光硬化樹脂５０で貼り付け、人造爪形成用基材１０全体に光硬化樹脂５０を塗布し、光を照射させるという簡単な作業により、人造爪１２を形成することができる。言い換えると、予め爪形に形成されている人造爪形成用基材１０に、ジェル状の光硬化樹脂を塗布して光硬化させる作業により人造爪１２を形成するので、従来のネイルスカルプチャーのように、台紙上にジェル状の樹脂を塗布して爪の形状を形成するといった高度な形成技術が必要とされない。このため、容易且つ迅速に人造爪１２を形成することができる。
【００３６】
形成された人造爪１２内には、繊維で構成された人造爪形成用基材１０が芯材として入っているので、形成された人造爪１２は折れ難く、亀裂が入り難い。上述したように、人造爪形成用基材１０を自爪９９上に貼り付けた状態（図２の（Ｃ）の状態）では、人造爪形成用基材１０と自爪９９との間には隙間が無く、人造爪形成用基材１０が自爪９９に密着した状態である。そして、この状態で光硬化樹脂５０が光硬化するので、硬化した光硬化樹脂５０により、形成された人造爪１２が自爪９９に強固に接合される。このため、形成された人造爪１２が自爪９９から剥がれ難い。
【００３７】
なお、本実施形態の人造爪形成用基材１０は不織布で構成されているので、人造爪形成用基材１０を、自爪９９の形状に合うように、はさみ等で任意の形状や長さに形成することができる。また、人造爪形成用基材１０の先端を、はさみ等で所望の形状や長さに形成することができ、所望の形状の人造爪１２を形成することができる。
【００３８】
（第２の実施形態の人造爪形成用基材）
以下に、図３を用いて、第２の実施形態の人造爪形成用基材２０の説明をする。人造爪形成用基材２０は、吸液性を有する不織布で構成された基材２１と、この基材２１の先端に取り付けられた合成樹脂製の爪片２２とから構成されている。基材２１は、幅方向断面及びこれと直交する長手方向断面のいずれもが凸状に湾曲した爪形状である。基材２１は、上記した第１の実施形態の人造爪形成用基材１０と同様のものである。爪片２２もまた、幅方向断面及びこれと直交する長手方向断面のいずれもが凸状に湾曲した爪形状である。
【００３９】
図３に示す実施形態では、爪片２２の厚さ方向の中間部に、基材２１が挟み込まれている。なお、爪片２２の裏面側に、基材２１が貼り付けられている実施形態であっても差し支え無い。図３に示すように、基材２１が爪片２２から露出している部分は、自爪形状となっている。なお、基材２１の基端部をはさみ等で自爪形状に形成することもできる。爪片２２は、後述するように、光硬化樹脂を硬化させたもので構成されていることが好ましいが、これに限定されず、アクリル樹脂や、ウレタン樹脂、ＡＢＳ樹脂等であっても差し支え無い。
【００４０】
（第２の実施形態の人造爪形成方法）
以下に、図４を用いて、第２の実施形態の人造爪形成用基材２０を用いた人造爪の形成方法（第２の実施形態の人造爪形成方法）を説明する。（Ａ）に示すように、自爪９９の表面全体にブラシ８０等でジェル状の光硬化樹脂５０を塗布する。（Ｂ）及び（Ｃ）に示すように、光硬化樹脂５０が塗布された自爪９９上に、人造爪形成用基材２０の基材２１を載置して貼り付け、自爪９９上に人造爪形成用基材２０を仮止めする。
【００４１】
更に、（Ｃ）に示すように、基材２１にブラシ８０等で光硬化樹脂５０を塗布して浸液させる。なお、自爪９９と基材２１の間の気泡を抜くために、光硬化樹脂５０を塗布後に、上部からブラシ８０等で基材２１を押さえつけることが好ましい。基材２１は柔軟性を有するので、基材２１は自爪９９の表面形状に合った形に変形する。また、毛細管現象により基材２１には十分な量の光硬化樹脂５０が吸収されることから、自爪９９と基材２１の基端裏面の間に光硬化樹脂５０が充填され、基材２１と自爪９９との間には隙間が無く、基材２１が自爪９９に密着した状態となる。
【００４２】
（Ｄ）に示すように、光硬化樹脂５０が塗布された基材２１に光を照射し、光硬化樹脂５０を硬化させる。（Ｅ）に示すように基材２１及び爪片２２の表面に、光硬化樹脂５０を塗布する。なお、自爪９９及び爪片２２の表面や外縁、裏面を光硬化樹脂５０で被包するように、光硬化樹脂５０を塗布し光硬化させると、自爪９９と爪片２２がより強固に一体化するので好ましい。
【００４３】
（Ｆ）に示すように、光硬化樹脂５０が塗布された人造爪形成用基材２０に光を照射すると、光硬化樹脂５０が硬化して、人造爪２３が形成される。このように、基材２１だけでなく、爪片２２を含む人造爪形成用基材２０全体に光硬化樹脂５０を塗布するので、図４の（Ｆ）に示すように、基材２１と爪片２２の間に境目が生じず、滑らかな表面の人造爪２３が形成される。なお、爪片２２を、光硬化樹脂を硬化させたもので構成すれば、爪片２２と塗布された光硬化樹脂５０とのなじみが良く一体となるので好ましい。
【００４４】
上述のように、第２の実施形態の人造爪形成用基材２０は、不織布で構成された基材２１の先端に、爪片２２を取り付けた構成なので、従来のように、台紙上にジェル状の光硬化樹脂を塗布して人造爪の形状を形成するといった高度な形成技術が必要とされず、予め爪形に形成されている基材２１および、爪片２２に、ジェル状の樹脂を塗布し、光硬化する作業により、より容易に人造爪２３を形成することが可能となる。
【００４５】
また、第２の実施形態では、人造爪形成用基材２０に予め爪片２２が取りつけられているので、人造爪２３を所望の厚さに形成するのに、人造爪形成用基材２０に光硬化樹脂を塗布し、前記樹脂を硬化させるという工程を何度も繰り返す必要が無く、より容易に人造爪２３を形成することができる。
【００４６】
形成された人造爪２３内には、繊維で構成された基材２１が芯材として入っているので、形成された人造爪２３は折れ難く、亀裂が入り難い。上述したように、基材２１を自爪９９上に貼り付けた状態（図４の（Ｃ）の状態）では、基材２１と自爪９９との間には隙間が無く、基材２１が自爪９９に密着している状態であり、この状態で光硬化樹脂５０が光硬化するので、硬化した光硬化樹脂５０により、形成された人造爪２３が自爪９９に強固に接合される。このため、形成された人造爪２３が自爪９９から剥がれ難い。
【００４７】
なお、図５に示すように、爪片２２に着色を施したり、ラメ等の装飾部品を貼設したりする等のネイルアートデコレーション装飾を施しても差し支えない。或いは、爪片２２を印刷により装飾を施しても差し支え無い。このような装飾が施された爪片２２であっても、透明の光硬化樹脂５０を使用すれば、前記装飾を視認することができる。このように、人造爪形成用基材２０では、爪片２２に装飾を施した製品を提供することができ、容易にデザイン性の高い人造爪２３を形成することが可能となる。
【００４８】
以上説明した実施形態では、爪片２２を硬質の合成樹脂で構成しているが、爪片２２を厚さが０．０１〜０．２ｍｍ程度の合成樹脂製のフィルムで構成しても差し支え無い。なお、前記合成樹脂には、ポリ塩化ビニル（ＰＶＣ）、ポリエチレンテレフタラート（ＰＥＴ）、ポリオレフィン、ポリスチレン、ポリエチレン、セロファン、ポリエステルが含まれる。
【００４９】
（第３の実施形態の人造爪形成用基材）
以下に図６を用いて、第３の実施形態の人造爪形成用基材３０の説明をする。人造爪形成用基材３０は、基材３１と、この基材３１を覆う爪片３２とから構成されている。基材３１の先端部は爪片３２の先端部に取り付けられている一方で、基材３１の基端部は爪片３２の基端部の裏面から分離している。基材３１は、吸液性を有する不織布で構成され、幅方向断面及びこれと直交する長手方向断面のいずれもが凸状に湾曲した爪形状である。基材３１は、上述した第１の実施形態の人造爪形成用基材１０と同様でのものである。
【００５０】
爪片３２は、後述の合成樹脂で構成され、幅方向断面及びこれと直交する長手方向断面のいずれもが凸状に湾曲した爪形状である。基材３１と爪片３２は上面視した場合に、略同一形状となっている。本実施形態では、図６の（Ｃ）に示すように、爪片３２の先端部は、厚さ方向の中間部に、基材３１の先端部が挟み込まれている。一方で、爪片３２の基端部は、基材３１の基端部が爪片３２の裏面から離間し、爪片３２と基材３１の基端部が分離している。
【００５１】
なお、図６の（Ａ）の点線で示すように、基材３１の爪片３２から分離している部分は、自爪形状となっている。爪片３２は光硬化樹脂を硬化させる光が透過する合成樹脂で構成されている。爪片３２は、後述するように、光硬化樹脂を硬化させもので構成されていることが好ましいが、これに限定されず、アクリル樹脂や、ウレタン樹脂、ＡＢＳ樹脂等であっても差し支え無い。
なお、第２の実施形態と同様に、爪片３２に装飾を施しても差し支えない。
【００５２】
（第３の実施形態の人造爪形成方法）
以下に、図７を用いて、第３の実施形態の人造爪形成用基材３０を用いた人造爪の形成方法（第３の実施形態の人造爪形成方法）を説明する。（Ａ）に示すように、予め、基材３１の基端部にブラシ８０等で光硬化樹脂５０を塗布して浸液させておく。（Ｂ）に示すように、自爪９９の表面全体にブラシ８０等でジェル状の光硬化樹脂５０を塗布する。（Ｃ）及び（Ｄ）に示すように、光硬化樹脂５０が塗布された自爪９９上に、人造爪形成用基材３０の基端部を載置して貼り付ける。
【００５３】
なお、自爪９９と基材３１の間の空気を抜くために、爪片３２を押さえつけることが好ましい。このとき、接着面に気泡が目視された場合には、（Ｅ）に示すように、基材３１の基端部が露出するように、爪片３２の基端部を捲りあげ、基材３１の基端部にブラシ８０等で光硬化樹脂５０を塗布して浸液させた後に、爪片３２の基端部を基材３１の基端部に貼り付ける。
【００５４】
基材３１は柔軟性を有するので、基材３１は自爪９９の表面形状に合った形に変形する。また、毛細管現象により基材３１には十分な量の光硬化樹脂５０が吸収されることから、自爪９９と基材３１の基端裏面の間に光硬化樹脂５０が充填され、基材３１と自爪９９との間には隙間が無く、基材３１が自爪９９に密着した状態となる。
【００５５】
（Ｆ）に示すように、爪片３２上から光を照射し、光硬化樹脂５０を硬化させて、人造爪３３が完成する（（Ｇ）の状態）。なお、硬化時には、上部から爪片３２を押さえ続けていることが好ましい。上述したように、爪片３２は光硬化樹脂を硬化させる光が透過するので、爪片３２上から前記光を照射させたとしても、光硬化樹脂５０を硬化させることができる。
【００５６】
なお、爪片３２を、光硬化樹脂を硬化させて形成されたもので構成すれば、爪片３２と塗布された光硬化樹脂５０とのなじみが良く一体となるので、自爪９９と爪片３２との接合力が増し、より好ましい。なお、自爪９９及び爪片２２の表面や外縁、裏面を、光硬化樹脂５０で被包するように、光硬化樹脂５０を塗布し光硬化させると、自爪９９と爪片３２が一体化するのでより好ましい。
【００５７】
上述のように、第３の実施形態の人造爪形成用基材３０は、基材３１と、この基材３１を覆う爪片３２とから構成されている。このため、自爪９９及び基材３１の少なくとも一方に光硬化樹脂５０を塗布し、自爪９０上に人造爪形成用基材３０を貼り付け、光硬化樹脂５０を光硬化させるという簡単な作業で、自爪９９上に人造爪３３を形成することが可能となる。
【００５８】
また、第３の実施形態では、人造爪形成用基材３０に予め爪片３２が取りつけられているので、人造爪３３を所望の厚さに形成するのに、人造爪形成用基材３０に光硬化樹脂を塗布し、前記樹脂を硬化させるという工程を何度も繰り返す必要が無く、より容易に人造爪３３を形成することができる。
【００５９】
爪片３２と自爪９９の間には、不織布で構成された基材３１が挟み込まれているので、上述したように基材３１に十分な量の光硬化樹脂５０が吸収され、自爪９９と基材３１及び基材３１と爪片３２とが密着した状態で、光硬化樹脂５０が光硬化し、爪片３２が強固に自爪９９に接合される。このため、人造爪３３が自爪９９から剥がれ落ちない。
【００６０】
形成された人造爪３３の先端部には、繊維で構成された基材３１が芯材として入っていて、更に、人造爪３３基端部の裏面には基材３１が接着されているので、形成された人造爪３３は折れ難く、亀裂が入り難い。なお、接合された爪片３２と自爪９９の外縁や裏面の全体に光硬化樹脂５０で被包するように、光硬化樹脂５０の塗布と光の照射による硬化を繰り返すと、爪片３２が更に強固に自爪９９に接合される。
【００６１】
以上説明した実施形態では、爪片２２を硬質の合成樹脂で構成しているが、爪片３２を厚さが０．０１〜０．２ｍｍ程度の上述の合成樹脂製のフィルムで構成しても差し支え無い。
【００６２】
（第３の実施形態の別例）
以上説明した実施形態では、基材３１の先端部が爪片３２の先端部の厚さ方向の中間部に挟み込まれている構造であるが、図８の（Ａ）、（Ｂ）に示すように、爪片３２の裏面の先端部に基材３１の先端部を貼り付けて構成した人造爪形成用基材３０（第３の実施形態の第１の別例）であっても差し支え無い。
【００６３】
図８の（Ｃ）に示すように、爪片３２裏面のイエローラインに相当する部分に、人造爪形成用基材３０を貼り付けた人造爪形成用基材３０（第３の実施形態の第２の別例）であっても差し支え無い。なお、爪片３２のイエローラインに相当する部分とは、図８（Ａ）の点線で示す部分であり、爪片３２の長手方向中間部分である。
【００６４】
この構成の場合には、人造爪形成用基材３０のフリーエッジ（図８の（Ａ）に示す点線から人造爪形成用基材３０先端側）の大部分には、基材３１が貼り付けられていないので、基材３１の不要な部分を、はさみ等で切除することにより、形成された人造爪３３のフリーエッジ部分に基材３１が無い、美麗な人造爪３３を形成することが可能となる。一方で、基材３１を切除すること無く、人造爪３３を形成すると、裏面に基材３１が接着されて折れにくい人造爪３３となる。このように、第３の実施形態の第２の別例では、ユーザが、基材３１を切除するか否かを選択することにより、美麗な人造爪３３と折れ難く且つ亀裂が入り難い人造爪３３を選択して形成することができる。
【００６５】
以上説明した実施形態では、基材３１の先端部が爪片３２の先端部にまで形成されているが、図９に示すように、爪片３２裏面のイエローラインに相当する部分（図９（Ａ）の点線で示す部分）に、基材３１を貼り付けた人造爪形成用基材３０（第３の実施形態の第３の別例）であっても差し支え無い。この構成の場合には、人造爪形成用基材３０のフリーエッジの大部分には、基材３１が無いので、形成された人造爪形成用基材３０のフリーエッジ部分に光が透過したとしても、基材３１が見えないため、自爪９９上に形成された人造爪形成用基材３０が美麗である。
【００６６】
（第４の実施形態の人造爪形成用基材）
以下に、図１０を用いて、第４の実施形態の人造爪形成用基材４０の説明をする。第４の実施形態の人造爪形成用基材４０は、幅方向断面及びこれと直交する長手方向断面のいずれもが凸状に湾曲した爪形状である。人造爪形成用基材４０は、フィルム状の合成樹脂で構成されている。
【００６７】
人造爪形成用基材４０の材質は、ポリ塩化ビニル（ＰＶＣ）、ポリエチレンテレフタラート（ＰＥＴ）、ポリオレフィン（ＰＯ）、ポリスチレン（ＰＳ）、ポリエチレン（ＰＥ）、ポリプロピレン（ＰＰ）、セロファン、ポリエステル等の合成樹脂である。なお、ポリ塩化ビニル（ＰＶＣ）、ポリエチレンテレフタラート（ＰＥＴ）、ポリオレフィン（ＰＯ）、ポリスチレン（ＰＳ）、ポリエチレン（ＰＥ）、ポリプロピレン（ＰＰ）、は、熱収縮性を有している所謂シュリンクフィルムであり、爪状に形成し易いので、人造爪形成用基材４０の材質として好ましい。これらの材質で構成された人造爪形成用基材４０は、光硬化樹脂を硬化させる光が透過する。
【００６８】
本実施形態では、前記した合成樹脂製のシュリンクフィルムを、爪形状に凹陥又は突出形成された金型等の型に、熱風の風圧で押し当てることにより、人造爪形成用基材４０を爪形状に形成している。なお、合成樹脂製のフィルムを、加熱した金型で挟み込むことにより、爪形状の人造爪形成用基材４０を形成することにしても差し支え無い。このように形成された人造爪形成用基材４０は、柔軟性を有する。このため、人造爪形成用基材４０は、その厚さ方向に変形可能となっている。人造爪形成用基材４０の表面に、印刷等により上述した装飾を施しても差し支え無い。
【００６９】
人造爪形成用基材４０の厚さは、０．０１〜０．２ｍｍ、好ましくは０．０３〜０．０８ｍｍであり、柔軟性を有している。なお、人造爪形成用基材４０の厚さが０．０１ｍｍより薄い場合には、人造爪形成用基材４０の強度が足らず、後述するように、光硬化樹脂を人造爪形成用基材４０に塗布する際に、人造爪形成用基材４０が変形してしまい、塗り難くなってしまう。一方で、人造爪形成用基材４０の厚さが０．２ｍｍよりも厚い場合には、人造爪形成用基材４０は柔軟性を確保できないことから、人造爪形成用基材４０を自爪９９に密着させた状態で接着させることができなくなってしまう。人造爪形成用基材４０の厚さを、０．０３〜０．０８ｍｍにすると、光硬化樹脂の人造爪形成用基材４０への塗りやすさと、人造爪形成用基材４０の柔軟性を好適に両立させることができる。
【００７０】
図１０の（Ｃ）に示すように、人造爪形成用基材４０裏面基部、即ち、人造爪形成用基材４０のイエローラインに相当する部分よりも基端側には、凹凸処理部４０ａ（乾式プライマー処理部）が形成されている。なお、人造爪形成用基材４０のイエローラインに相当する部分とは、図１０（Ａ）の点線部分、つまり、人造爪形成用基材４０の長手方向中間部分である。凹凸処理部４０ａを形成するための凹凸処理（乾式プライマー処理）の一例としては、コロナ処理、イトロ処理、プラズマ処理、フレーム処理、化学的処理、物理的処理が含まれる。
【００７１】
なお、コロナ処理は、絶縁された電極と誘電体ロールとの間に人造爪形成用基材４０の材料となる合成樹脂製フィルムを通し、高周波（約40ｋHz）高電圧を印加してコロナ放電を発生させる処理である。このコロナ放電によって酸素等の気体成分が、活発なプラズマ状態となり、コロナ放電の中の加速電子が樹脂表面に衝突し、樹脂表面の分子鎖切断含酸素官能基付加が起こる。その結果、樹脂表面に極性基（OH基・カルボニル基等）生成される。そして、これらの極性基が親水性であるため、人造爪形成用基材４０のコロナ処理が施された部分の濡れ性が向上する。
【００７２】
また、イトロ処理とは、シラン化合物等を導入した燃料ガスを燃焼させた火炎を前記合成樹脂製フィルム裏面に当て、合成樹脂製フィルムの裏面にSiO2を構成成分とするナノレベルの粒子を付着させる処理である。
【００７３】
プラズマ処理は、ガスを電離させて生じた粒子の電荷を利用して、前記合成樹脂製フィルム表面に極性を持つ塩基を生成させる処理である。
フレーム処理（火炎処理）は、プロパンガスなどの可燃性ガスに酸素を吹き込みながら前記合成樹脂製フィルム裏面上で燃焼させ、酸化反応により、前記合成樹脂製フィルム裏面上に極性を持つ塩基を生成させる処理である。
化学的処理は、前記合成樹脂製フィルム裏面を酸やアルカリなどで改質する処理である。
物理的処理は、前記合成樹脂製フィルム裏面に、砥粒や砥石を擦りつけ、合成樹脂製フィルム裏面に微細な凹凸を形成する処理である。
このような凹凸処理によって、凹凸処理部４０ａの濡れ特性（親水特性）が大幅に向上する。
【００７４】
（第４の実施形態の人造爪形成方法）
以下に、図１１を用いて、第４の実施形態の人造爪形成用基材４０を用いた人造爪の形成方法（第４の実施形態の人造爪形成方法）を説明する。（Ａ）に示すように、自爪９９の表面全体に、ブラシ８０等でジェル状の光硬化樹脂５０を塗布する。また、人造爪形成用基材４０の裏面の基端部にもブラシ８０等でジェル状の光硬化樹脂５０を塗布する。（Ｂ）及び（Ｃ）に示すように、光硬化樹脂５０が塗布された自爪９９上に、人造爪形成用基材４０基端部を載置して貼り付ける。自爪９９と人造爪形成用基材４０の間の気泡を抜くために、上部からブラシ８０等で人造爪形成用基材４０を押さえつけることが好ましい。
【００７５】
次に、（Ｃ）に示すように、人造爪形成用基材４０の上から光を照射し、光硬化樹脂５０を硬化させて、人造爪形成用基材４０を自爪９９に接合させる。なお、硬化時には、上部から人造爪形成用基材４０を押さえ続けていることが好ましい。
【００７６】
次に、（Ｄ）に示すように、人造爪形成用基材４０の表面や外縁、裏面の全体に、ブラシ８０等でジェル状の光硬化樹脂５０を塗布する。そして、（Ｅ）に示すように、人造爪形成用基材４０に、光を照射し、光硬化樹脂５０を硬化させて、人造爪４３が完成する。なお、人造爪４３の厚さが足りない場合には、上述した（Ｄ）及び（Ｅ）の作業を繰り返す。
【００７７】
上述のように、人造爪形成用基材４０の裏面基部に、濡れ特性（親水特性）に優れる凹凸処理部４０ａが形成されているので、凹凸処理部４０ａと光硬化樹脂５０とのなじみが良く、自爪９９と人造爪形成用基材４０との接合力が増す。このため、形成された人造爪４３が自爪９９から剥がれ難い。
【００７８】
なお、人造爪形成用基材４０の表面側や人造爪形成用基材４０の裏面全体に、上述した凹凸処理部を形成しても差し支え無い。この場合には、人造爪形成用基材４０の凹凸処理部が形成されている部分の濡れ特性が向上し、人造爪形成用基材４０と光硬化樹脂５０とのなじみが良いことから、人造爪形成用基材４０からの硬化した光硬化樹脂５０が剥離し難い。また、人造爪形成用基材４０の表面側に、上述した凹凸処理部を形成すると、印刷適応性が向上し、印刷による装飾の形成が容易となるので、好ましい。
【００７９】
このように、第４の実施形態の人造爪形成用基材４０を用いると、自爪９９に人造爪形成用基材４０を貼り付け、人造爪形成用基材４０の全体に光硬化樹脂５０を塗布し、この光硬化樹脂５０光硬化させるという簡単な作業で、自爪９９上に人造爪４３を形成することが可能となる。また、人造爪形成用基材４０は、合成樹脂製フィルムで構成されているので、印刷により装飾を形成することが容易である。
【００８０】
（装飾物装着部を形成した実施形態）
以下に、図１２及び図１３を用いて、ネイル用装飾物を装着するための装飾物装着部を形成した人造爪形成用基材の実施形態について説明する。図１２の（Ａ）に示される実施形態の人造爪形成用基材３５は、上記説明した第３の実施形態の人造爪形成用基材３０のイエローラインに相当する部分（点線で示す部分）よりも先端側に、穴状の装飾物装着部３５ａが連通形成されて構成されている。
【００８１】
図１３の（Ａ）に示されるように、ネイル用装飾物９０（ネイルピアスともいう）は、装飾部９０ａと、この装飾部９０ａに連結された（取り付けられた）装着部９０ｂとから構成されている。装着部９０ｂは、図１３の（Ａ）に示される実施形態では、固定部９０ｃと可動部９０ｄとから構成されている。固定部９０ｃは、開口部が形成されたリング状（Ｃ字形状）である。可動部９０ｄは、固定部９０ｃの開口部を閉塞・開口するように固定部９０ｃにスライド可能に取り付けられている。可動部９０ｄには、レバー９０ｅが形成されている。可動部９０ｄは、常時、固定部９０ｃの開口部を閉塞する方向に付勢され、この可動部９０ｄにより固定部９０ｃの開口部が閉塞されている。ユーザがレバー９０ｅを引くと、可動部９０ｄが固定部９０ｃに対してスライドし、固定部９０ｃの開口部が開口する。
【００８２】
図１３の（Ａ）を用いて、図１２の（Ａ）に示される実施形態の人造爪形成用基材３５の使用方法について説明する。上述した第３の実施形態の人造爪形成方法と同様に、人造爪形成用基材３５を自爪９９状に貼り付けた後に、人造爪形成用基材３５に光硬化樹脂を塗布し、この光硬化樹脂を硬化させることにより、人造爪３７を形成する。人造爪３７形成後にユーザは、レバー９０ｅを引き、固定部９０ｃの開口部を開口させて、固定部９０ｃを穴状の装飾物装着部３５ａに挿通させた後に、レバー９０ｅ離す。すると、固定部９０ｃの開口部が可動部９０ｄによって閉塞され、ネイル用装飾物９０が人造爪３７に装着される。
【００８３】
次に、図１２の（Ｂ）に示される実施形態の人造爪形成用基材３６を説明する。図１２の（Ｂ）に示される実施形態の人造爪形成用基材３６は、上記説明した人造爪形成用基材３０に凸形状の第１スリット３６ｃと凸形状の第２スリット３６ｄが連通形成されて構成されている。なお、凸形状とは、図１２の（Ｂ）に示されようなＵ字形状の他、Ｖ字形状やＣ字形状等、一方向に膨出した形状が含まれる。第２スリット３６ｄは、第１スリット３６ｃより内側に小さく同じ向きに形成されている。これら第１スリット３６ｃと第２スリット３６ｄとから装飾物装着部３６ａが構成されている。第１スリット３６ｃと第２スリット３６ｄの間には、凸形状の装着片３６ｅが形成されている。図１２の（Ｂ）に示されるように、装飾物装着部３６ａは、人造爪形成用基材３６のイエローラインに相当する部分よりも先端側及び基端側の何れにも形成することができる。
【００８４】
次に、図１３の（Ｂ）を用いて、人造爪形成用基材３６の使用方法について説明する。まず、装着片３６ｅを手前側に引き上げる。すると、引き上げられた装着片３６ｅにより、装着穴３６ｆが形成される。次に、上述した第３の実施形態の人造爪形成方法と同様に、人造爪形成用基材３６を自爪９９状に貼り付けた後に、人造爪形成用基材３６（装着片３６ｅも含む）に光硬化樹脂を塗布し、この光硬化樹脂を硬化させることにより、人造爪３８を形成する。ユーザは、レバー９０ｅを引き、固定部９０ｃの開口部を開口させて、固定部９０ｃを装着穴３６ｆに挿通させた後に、レバー９０ｅ離す。すると、固定部９０ｃの開口部が可動部９０ｄによって閉塞され、ネイル用装飾物９０が人造爪３８に装着される。
【００８５】
上述のように、人造爪形成用基材３６では、装着片３６ｅを手前側に引き上げると装着穴３６ｆが形成される。このため、人造爪形成用基材３６を用いて人造爪３８を形成した場合には、従来ではネイル用装飾物９０を装着することができなかったイエローライン９９ａよりも基端側の人造爪３８にもネイル用装飾物９０を装着することができる。このように、人造爪３８の任意の位置にネイル用装飾物９０を装着することができ、従来に無い斬新なネイルアートを提供することができる。
【００８６】
なお、図１２に示した実施形態では、第３の実施形態の人造爪形成用基材３０に、装飾物装着部３５ａや装飾物装着部３６ａが形成されている。しかし、第１の実施形態の人造爪形成用基材１０や、第２の実施形態の人造爪形成用基材２０、第４の実施形態の人造爪形成用基材４０に、装飾物装着部３５ａや装飾物装着部３６ａが形成されている実施形態であっても差し支え無い。
【００８７】
なお、第１の実施形態〜第３の実施形態の人造爪形成用基材１０、２０、３０は、不織布で構成された基材１０、２１、３１を有する。このため、例え装飾物装着部３５ａや装飾物装着部３６ａに亀裂が入っても、不織布により亀裂が大きくならず、装飾物装着部３５ａや装飾物装着部３６ａが破損し難い。このため、人造爪１２、２３、３３から、ネイル用装飾物９０が脱落し難い。
【００８８】
（総括）
以上説明した実施形態では、自爪９９に光硬化樹脂を塗布し、光硬化樹脂５０が塗布された自爪９９上に基材１０、２１、３１、４０を載置して貼り付けている。しかし、自爪９９、及び、基材１０、２１、３１、４０の基端裏面の両方に光硬化樹脂５０を塗布して、自爪９９上に前記基材を貼り付ける実施形態であっても差し支え無い。また、自爪９９と前記基材の一方側のみに、光硬化樹脂５０を塗布して、自爪９９上に前記基材を貼り付けても差し支え無い。
【００８９】
以上説明した実施形態では、自爪９９及び基材１０、２１、３１、４０の少なくとも一方に光硬化樹脂を塗布し、自爪９９上に基材１０、２１、３１、４０を載置して貼り付けている。しかし、両面接着テープで、自爪９９上に基材１０、２１、３１、４０を貼り付けても差し支え無い。この方法で自爪９９上に前記基材を貼り付けた場合には、上述した方法と同様に、自爪９９の貼り付けられた人造爪形成用基材１０、２０、３０、４０に光硬化樹脂５０を塗布し、この光硬化樹脂５０を光硬化させることにより、人造爪１２、２３、３３、４３を形成する。
【００９０】
このような方法で形成された人造爪１２、２３、３３、４３は、任意に自爪９９から着脱させることができる。勿論、これら人造爪１２、２３、３３、４３は、再使用可能である。なお、両面接着テープとは、薄膜のシート材の両面に接着層が形成されたテープである。
【００９１】
なお、基材１０、２１、３１、４０の基端側裏面に接着層が形成されている実施形態であっても差し支え無い。この実施形態の場合には、両面テープを使用することなく、自爪９９上に基材１０、２１、３１、４０を載置して貼り付けることができる。
【００９２】
このように、両面接着テープや接着層により、自爪９９上に基材１０、２１、３１、４０を貼り付けた場合であっても、基材１０、２１、３１、４０は柔軟性を有するので、前記基材は自爪９９の表面形状に合った形に変形する。そして、この状態で人造爪１２、２３、３３、４３が形成されるので、前記人造爪と自爪９９との間に隙間が無く、前記人造爪を自爪９９に密着させた状態で接着させることができる。このため、形成された前記人造爪が自爪９９から剥がれ難い。
【００９３】
以上説明した実施形態では、人造爪形成用基材１０、４０、基材２１、３１、爪片２２、３２は、幅方向断面及びこれと直交する長手方向断面のいずれもが凸状に湾曲した形状であるが、幅方向断面のみ凸状に湾曲した形状であっても差し支え無い。
【００９４】
なお、本実施形態において使用される光硬化樹脂には、紫外線硬化樹脂、可視光硬化樹脂、赤外線硬化樹脂が含まれる。紫外線硬化樹脂は、アクリル酸オリゴマー、メタクリル酸エステルモノマー等の合成樹脂に、紫外線重合開始剤が混合された樹脂であり、紫外線の照射により硬化する樹脂である。可視光硬化樹脂は、前記合成樹脂に、可視光重合開始剤が混合された樹脂であり、可視光の照射により硬化する樹脂である。赤外線硬化樹脂は、前記合成樹脂に、赤外線重合開始剤が混合された樹脂であり、赤外線の照射により硬化する樹脂である。
【００９５】
また、光硬化樹脂の代わりに、２物体硬化樹脂を用いても差し支え無い。この２物体硬化樹脂は、２種類の樹脂が混ざると重合反応により硬化が開始する樹脂である。２物体硬化樹脂の一例として、２種類の液状の樹脂が混ざると重合反応により硬化を開始する２液硬化樹脂や、液状の樹脂（例えばアクリルリキッド）に粉状の樹脂（例えばアクリルパウダー）が混ざると重合反応により硬化が開始する樹脂が含まれる。
【符号の説明】
【００９６】
１０…人造爪形成用基材（第１の実施形態）
１２…人造爪（第１の実施形態）
２０…人造爪形成用基材（第２の実施形態）
２１…基材（第２の実施形態）
２２…爪片（第２の実施形態）
２３…人造爪（第２の実施形態）
３０…人造爪形成用基材（第３の実施形態）
３５ａ、３６ａ…装飾物装着部
３１…基材（第３の実施形態）
３２…爪片（第３の実施形態）
３３…人造爪（第３の実施形態）
４０…人造爪形成用基材（第４の実施形態）
４０ａ…凹凸処理部
４３…人造爪（第４の実施形態）
５０…光硬化樹脂
９０…ネイル用装飾物
９９…自爪
【図１】
2012140796.tif 000003
【図２】
2012140796.tif 000004
【図３】
2012140796.tif 000005
【図４】
2012140796.tif 000006
【図５】
2012140796.tif 000007
【図６】
2012140796.tif 000008
【図７】
2012140796.tif 000009
【図８】
2012140796.tif 000010
【図９】
2012140796.tif 000011
【図１０】
2012140796.tif 000012
【図１１】
2012140796.tif 000013
【図１２】
2012140796.tif 000014
【図１３】
2012140796.tif 000015
【国際調査報告】
2012140796.tif 000016
2012140796.tif 000017
2012140796.tif 000018
2012140796.tif 000019